(57)【要約】      （修正有）【課題】極めて商品価値の高い画期的な縫合針及びその製造方法を提供する。【解決手段】針本体１の先端１ａから所定位置までにおいて湾曲部位が設けられた縫合針であって、前記針本体１は合成樹脂部材で構成されたものである。また、縫合針は、前記針本体の基端部１ｂには合成樹脂部材で構成された縫合糸２が連設され、さらに、前記針本体の基端部と前記縫合糸は略同一径に設定されてもよい。縫合針は、前記針本体を合成樹脂部材の射出成形により製造される。【選択図】図１
2014039720.tif 000002
【特許請求の範囲】
【請求項１】
針本体の先端から所定位置までにおいて湾曲部位が設けられた縫合針であって、前記針本体は合成樹脂部材で構成されていることを特徴とする縫合針。
【請求項２】
請求項１記載の縫合針において、前記針本体の基端部には合成樹脂部材で構成された縫合糸が連設されていることを特徴とする縫合針。
【請求項３】
請求項２記載の縫合針において、前記針本体の基端部と前記縫合糸は略同一径に設定されていることを特徴とする縫合針。
【請求項４】
請求項１〜３いずれか１項に記載の縫合針において、前記針本体を構成する合成樹脂部材として、熱可塑性樹脂部材を採用したことを特徴とする縫合針。
【請求項５】
請求項１〜３いずれか１項に記載の縫合針において、前記針本体を構成する合成樹脂部材として、生体吸収性を有する合成樹脂部材を採用したことを特徴とする縫合針。
【請求項６】
請求項１〜３いずれか１項に記載の縫合針において、前記針本体を構成する合成樹脂部材として、熱可塑性樹脂部材と生体吸収性を有する合成樹脂部材を混合したものであることを特徴とする縫合針。
【請求項７】
請求項１〜６いずれか１項に記載の縫合針において、前記針本体を構成する合成樹脂部材にはガラス繊維や炭素繊維などの繊維部材が混在せしめられていることを特徴とする縫合針。
【請求項８】
請求項１〜７いずれか１項に記載の縫合針において、前記針本体を構成する合成樹脂部材にはカーボンナノチューブが混在せしめられていることを特徴とする縫合針。
【請求項９】
針本体１の先端から所定位置までにおいて湾曲部位が設けられた縫合針の製造方法であって、前記針本体を合成樹脂部材の射出成形により成形することを特徴とする縫合針の製造方法。
【発明の詳細な説明】
【技術分野】
【０００１】
本発明は、例えば外科手術で使用される縫合針及びその製造方法に関するものである。
【背景技術】
【０００２】
外科手術で使用され内方に湾曲する縫合針として、本出願人は、例えば特開２０００−１３９９３１号に開示される縫合針を提案している。
【０００３】
この縫合針は、針本体を断面多角形とし、各角縁を刃とすることで、体組織への刺入性を向上させたものである。詳細には、体組織へ刺入した際、複数の角縁（刃）の存在により体組織へ切り込むようにして刺入されることになる為、極めて貫通性が良く、しかも、刺入した部位との接触面積が少なくなることで抵抗が低減し、よって、体組織への負荷がかかり難く良好な縫合作業が行えるものである。
【先行技術文献】
【特許文献】
【０００４】
【特許文献１】特開２０００−１３９９３１号公報
【発明の概要】
【発明が解決しようとする課題】
【０００５】
ところで、この縫合針は、先端先鋭部を有するストレート状の金属棒材（ステンレス）を湾曲加工することで製造しているが、この縫合針について量産性及びコスト性の向上が望まれている。
【０００６】
また、金属棒材の湾曲加工は、量産する際にはその湾曲度合いの再現性が低いという点も指摘され、更に、近年、前述したように縫合針に対して、断面形状を多角形状にするなど、機能上の様々な形状が要求されており、従来においてはこの要求される形状を切削により得ているが、この切削作業は前述した湾曲作業と別工程で行わなければならず、しかも、高度な切削精度が要求される為、量産性及びコスト性の向上は益々困難とされる。
【０００７】
本発明は、前述した問題点を解消する、従来にない作用効果を発揮する画期的な縫合針及びその製造方法を提供する。
【課題を解決するための手段】
【０００８】
添付図面を参照して本発明の要旨を説明する。
【０００９】
針本体１の先端１ａから所定位置までにおいて湾曲部位が設けられた縫合針であって、前記針本体１は合成樹脂部材で構成されていることを特徴とする縫合針に係るものである。
【００１０】
また、請求項１記載の縫合針において、前記針本体１の基端部１ｂには合成樹脂部材で構成された縫合糸２が連設されていることを特徴とする縫合針に係るものである。
【００１１】
また、請求項２記載の縫合針において、前記針本体１の基端部１ｂと前記縫合糸２は略同一径に設定されていることを特徴とする縫合針に係るものである。
【００１２】
また、請求項１〜３いずれか１項に記載の縫合針において、前記針本体１を構成する合成樹脂部材として、熱可塑性樹脂部材を採用したことを特徴とする縫合針に係るものである。
【００１３】
また、請求項１〜３いずれか１項に記載の縫合針において、前記針本体１を構成する合成樹脂部材として、生体吸収性を有する合成樹脂部材を採用したことを特徴とする縫合針に係るものである。
【００１４】
また、請求項１〜３いずれか１項に記載の縫合針において、前記針本体１を構成する合成樹脂部材として、熱可塑性樹脂部材と生体吸収性を有する合成樹脂部材を混合したものであることを特徴とする縫合針に係るものである。
【００１５】
また、請求項１〜６いずれか１項に記載の縫合針において、前記針本体１を構成する合成樹脂部材にはガラス繊維や炭素繊維などの繊維部材が混在せしめられていることを特徴とする縫合針に係るものである。
【００１６】
また、請求項１〜７いずれか１項に記載の縫合針において、前記針本体１を構成する合成樹脂部材にはカーボンナノチューブが混在せしめられていることを特徴とする縫合針に係るものである。
【００１７】
また、針本体１の先端から所定位置までにおいて湾曲部位が設けられた縫合針の製造方法であって、前記針本体１を合成樹脂部材の射出成形により成形することを特徴とする縫合針の製造方法に係るものである。
【発明の効果】
【００１８】
本発明は上述のように構成したから、前述した従来例に比し、量産する際の湾曲度合いの再現性が良く、しかも、要求される様々な形状のものが簡易且つ確実に得られ、よって、高品質なものを量産性良くコスト安に得られるなど、従来にない作用効果を発揮する画期的な縫合針及びその製造方法となる。
【図面の簡単な説明】
【００１９】
【図１】本実施例を示す斜視図である。
【発明を実施するための形態】
【００２０】
好適と考える本発明の実施形態を、図面に基づいて本発明の作用を示して簡単に説明する。
【００２１】
本発明は、針本体１の先端１ａから所定位置までにおいて湾曲部位が設けられており、この針本体１は合成樹脂部材で構成されている。
【００２２】
即ち、近年、合成樹脂部材の成形技術はその成形精度が飛躍的に向上しており、前述した本発明のような湾曲部位を有する針本体１であっても、精度良く設計通りの湾曲度合いに製造することができ（湾曲度合いの再現性が良い）、また、合成樹脂部材の成形は非常に生産性が良い。
【００２３】
そこで、本発明は針本体１を合成樹脂部材で形成しており、量産する際の湾曲度合いの再現性が良く、しかも、要求される様々な形状のものが簡易且つ確実に得られ、よって、高品質なものを量産性良くコスト安に得ることができる。
【実施例】
【００２４】
本発明の具体的な実施例について図面に基づいて説明する。
【００２５】
本実施例は、外科手術で使用される縫合針である。
【００２６】
具体的には、針本体１は、図１に図示したように断面円形（円錐状）である先端部の針先端１ａから所定位置までの間に湾曲部位を有する構成である。尚、針本体１の断面形状は適宜設計変更し得るものである。
【００２７】
この針本体１を合成樹脂部材の射出成形により成形している。
【００２８】
また、針本体１を構成する合成樹脂部材として、熱可塑性樹脂部材若しくは生体吸収性を有する合成樹脂部材、或いは、熱可塑性樹脂部材と生体吸収性を有する合成樹脂部材とを混合したものが採用される。
【００２９】
この熱可塑性樹脂部材としては下記のものを採用できる。
【００３０】
記
ポリメタクリート系樹脂・ＡＢＳ樹脂・環状オレフィン系樹脂・ポリフェニレンサルファイド・ポリブチレンテレフタレート・ポリカーボネート・ポリアミド・ポリアセタール・変性ポリフェニレンエーテル・ポリエステル系樹脂・ポリテトラフルオロエチレン・フッ素系樹脂・ポリスルホン・ポリエーテルイミド・ポリエーテルスルホン・ポリエーテルケント・ポリエーテルラクトン・ポリエチレンテレフタレート・液晶ポリエステル・ポリアミドイミド・ポリイミド・ポリエーテルニトリル・ポリプロピレン・ポリエチレン
【００３１】
尚、熱可塑性樹脂部材については、複数種類混合したものでも良い。
【００３２】
また、生体吸収性を有する合成樹脂部材としては下記のものを採用できる。
【００３３】
記
ポリ乳酸（ＰＬＡ）・ポリグリコール酸（ＰＧＡ）・ポリジオキサノ（ＰＤＳ）・ポリグリカプロン
【００３４】
尚、生体吸収性を有する合成樹脂部材については、複数種類混合したものでも良い。
【００３５】
また、本実施例では、針本体１を構成する合成樹脂部材にはガラス繊維や炭素繊維などの繊維部材が混在せしめられている。
【００３６】
具体的には、射出成形を行う前に、予め合成樹脂部材にガラス繊維や炭素繊維を混合しておく。この繊維部材により秀れた強度が発揮される。
【００３７】
また、この合成樹脂部材に混合する部材として、繊維部材の他にも、カーボンナノチューブや、生体適合性セラミックス材料（ハイドロキシアパタイト・ＴＣＰ（β―ＴＰＣ，α―ＴＰＣ））を混在せしめても良い。
【００３８】
また、針本体１の基端部１ｂには縫合糸２が連設されている。
【００３９】
本実施例では、この縫合糸２として合成樹脂部材で構成された縫合糸２が採用されており、この針本体１に対する縫合糸２の先端部２ａの連設は接着剤（ポリメタクリート系接着剤）を使用したボンディングにより連設されている。
【００４０】
また、針本体１の基端部１ｂと縫合糸２は略同一径に設定されている。
【００４１】
この構成は、縫合に際して生体組織へのダメージを可及的に抑制することに貢献する。
【００４２】
即ち、従来、金属製の縫合針の場合、針本体の基端部に他の部位よりも径大となる筒部を形成し、この筒部に縫合糸２を嵌挿した状態で該筒部をカシメることで連設していたが、この連設部（筒部）が縫合糸を嵌挿させるために他の部位より径大となる為、それだけ生体組織への挿入の際に該生体組織へダメージを与えていた。
【００４３】
この点、本実施例は、前述したように針本体１の基端部１ｂと縫合糸２の先端部２ａの径は略同一に設定されているから、刺入時における生体組織へのダメージを可及的に抑制することができる。
【００４４】
尚、合成樹脂部材で構成された針本体１と合成樹脂部材で構成された縫合糸２との接合方法としては、溶着による接合も考えられる。
【００４５】
本実施例は上述のように構成したから、量産する際の湾曲度合いの再現性が良く、しかも、要求される様々な形状のものが簡易且つ確実に得られ、よって、高品質なものを量産性良くコスト安に得ることができる。
【００４６】
また、本実施例は、針本体１の基端部１ｂには合成樹脂部材で構成された縫合糸２が連設されているから、合成樹脂部材で構成された針本体１と接着剤で接続させたり、溶着により接続させたりなど、種々の接続方法が可能となる。
【００４７】
また、本実施例は、針本体１の基端部１ｂと縫合糸２は略同一径に設定されているから、縫合した際における生体組織へのダメージを可及的に抑制することができる。
【００４８】
また、本実施例は、針本体１を構成する合成樹脂部材として、熱可塑性樹脂部材を採用したから、縫合針に要求される様々な形状を良好に成形することができる。
【００４９】
また、本実施例は、針本体１を構成する合成樹脂部材として、生体吸収性を有する合成樹脂部材を採用したから、環境に配慮された構成となる。
【００５０】
また、本実施例は、針本体１を構成する合成樹脂部材として、熱可塑性樹脂部材と生体吸収性を有する合成樹脂部材を混合したものであるから、前述した夫々の作用効果を良好に発揮することになる。
【００５１】
また、本実施例は、針本体１を構成する合成樹脂部材にはガラス繊維や炭素繊維などの繊維部材が混在せしめられているから、合成樹脂製としても縫合針に要求される強度を具備することができる。
【００５２】
また、本実施例は、針本体１を構成する合成樹脂部材にはカーボンナノチューブが混在せしめられているから、この点においても、合成樹脂製としても縫合針に要求される強度を具備することができる。
【００５３】
尚、本発明は、本実施例に限られるものではなく、各構成要件の具体的構成は適宜設計し得るものである。
【符号の説明】
【００５４】
１  針本体
１ａ  先端
１ｂ  基端部
２  縫合糸
【図１】
2014039720.tif 000003